(57)【要約】      （修正有）【課題】発色性に優れた記録物を得ることができ、かつガス発生が抑制されたインクジェットインクセットを提供する。【解決手段】少なくとも第１インク、第２インク、第３インク、及び第４インクを備え、第１インクは、水と、第１染料を含み、かつ、水で１０００倍に希釈した希釈液の分光透過率から算出される色相角Ｈが９０°〜１２０°で、第２インクは、第１染料を第２染料に変更した色相角Ｈが０°〜３０°で、第３インクは、第１染料を第３染料に変更した色相角Ｈが２２０°〜２５０°で、第４インクは、水と、第４インクの総質量１００質量％に対して５質量％以上の第４染料を含み、かつ、第１染料を第４染料に変更した色相角Ｈが５０°〜７０°で、かつ、ｐＨが７．０〜８．０であり、第４染料は、Ｃ．Ｉ．Ａｃｉｄ  Ｏｒａｎｇｅ３３及びＣ．Ｉ．Ａｃｉｄ  Ｏｒａｎｇｅ９４の少なくとも１種を含む、インクジェットインクセット。【選択図】なし【特許請求の範囲】
【請求項１】
少なくとも第１インク、第２インク、第３インク、及び第４インクを備え、
前記第１インクは、水と、第１染料と、を含み、かつ、水で１０００倍に希釈した希釈液の分光透過率から算出される色相角Ｈが９０°〜１２０°であり、
前記第２インクは、水と、第２染料と、を含み、かつ、水で１０００倍に希釈した希釈液の分光透過率から算出される色相角Ｈが０°〜３０°であり、
前記第３インクは、水と、第３染料と、を含み、かつ、水で１０００倍に希釈した希釈液の分光透過率から算出される色相角Ｈが２２０°〜２５０°であり、
前記第４インクは、水と、前記第４インクの総質量１００質量％に対して５質量％以上の第４染料と、を含み、かつ、水で１０００倍に希釈した希釈液の分光透過率から算出される色相角Ｈが５０°〜７０°であり、かつ、ｐＨが７．０〜８．０であり、
前記第４染料は、Ｃ．Ｉ．Ａｃｉｄ  Ｏｒａｎｇｅ３３及びＣ．Ｉ．Ａｃｉｄ  Ｏｒａｎｇｅ９４の少なくとも１種を含む、インクジェットインクセット。
【請求項２】
前記第４インクの溶存窒素量が６ｐｐｍ以下である、請求項１に記載のインクジェットインクセット。
【請求項３】
前記第４インクにおいて、前記第４染料の含有量に対する前記水の含有量の比が、質量基準で、１１．００〜１３．００である、請求項１又は２に記載のインクジェットインクセット。
【請求項４】
前記第４染料は、Ｃ．Ｉ．Ａｃｉｄ  Ｏｒａｎｇｅ３３及びＣ．Ｉ．Ａｃｉｄ  Ｏｒａｎｇｅ９４を含み、
前記Ｃ．Ｉ．Ａｃｉｄ  Ｏｒａｎｇｅ９４の含有量に対する前記Ｃ．Ｉ．Ａｃｉｄ  Ｏｒａｎｇｅ３３の含有量の比が、質量基準で、１〜１０である、請求項１〜３のいずれか一項に記載のインクジェットインクセット。
【請求項５】
第５インクをさらに備え、
前記第５インクは、水と、第５染料と、を含み、かつ、水で１０００倍に希釈した希釈液の分光透過率から算出される色相角Ｈが２７５°〜２９５°であり、
前記第５染料は、Ｃ．Ｉ．Ａｃｉｄ  Ｂｌｕｅ１４０及びＣ．Ｉ．Ａｃｉｄ  Ｖｉｏｌｅｔ４８を含む、請求項１〜４のいずれか一項に記載のインクジェットインクセット。
【請求項６】
前記Ｃ．Ｉ．Ａｃｉｄ  Ｂｌｕｅ１４０の含有量は、前記第５インクの総質量１００質量％に対して、６．０質量％以上であり、
前記Ｃ．Ｉ．Ａｃｉｄ  Ｖｉｏｌｅｔ４８の含有量は、前記第５インクの総質量１００質量％に対して、０．５〜１．６質量％である、請求項５に記載のインクジェットインクセット。
【請求項７】
ポリオレフィンを含む容器に充填される、請求項１〜６のいずれか一項に記載のインクジェットインクセット。
【請求項８】
前記容器は、可撓性部材からなるインク収容室を有する、請求項７に記載のインクジェットインクセット。
【発明の詳細な説明】
【技術分野】
【０００１】
本発明は、インクジェットインクセットに関する。
【背景技術】
【０００２】
インクジェット記録は、インクの小滴を飛翔させ、紙や透明フィルム等の記録媒体に付着させる方法である。この方法は、比較的安価な装置で、高解像度及び高品位な画像を高速で記録することができる。このようなインクジェット記録において発色性と色再現性に優れた画像を得る手段として、インクジェットインクセットを用いる方法が知られている。
【０００３】
例えば、特許文献１には、インク色材を選択することで、ポリアミド繊維を捺染する際に、広い色域を備えると共に、形成した画像の堅牢性と、インクの貯蔵安定性に優れた捺染用インクジェットインクセットとその製造方法を提供することを目的として、酸性染料をそれぞれ含有する少なくともイエローインク、マゼンタインク、シアンインク及びブラックインクから構成される捺染用インクジェットインクセットにおいて、該イエローインクが、酸性染料としてＣ．Ｉ．Ａｃｉｄ Ｙｅｌｌｏｗ ７９を含有し、該マゼンタインクが、酸性染料としてＣ．Ｉ．Ａｃｉｄ Ｒｅｄ ２４９を含有し、該シアンインクが、酸性染料としてＣ．Ｉ．Ｄｉｒｅｃｔ Ｂｌｕｅ ８７を含有し、かつ該ブラックインクが、酸性染料としてＣ．Ｉ．Ａｃｉｄ Ｂｌａｃｋ ５２：１を含有する捺染用インクジェットインクセットが開示されている。
【先行技術文献】
【特許文献】
【０００４】
【特許文献１】特開２００７−２３８７４１号公報
【発明の概要】
【発明が解決しようとする課題】
【０００５】
しかしながら、特許文献１に記載のインクジェットインクセットにおいて用い得るオレンジ染料は発色性に劣るものであり、得られる記録物の発色性も十分でない。一方で、発色性に優れるオレンジ染料を含むインクはガスが発生しやすく、発生したガスに起因する吐出不良が起こりやすくなる。このように、発色性に優れた記録物を得るという課題と、ガスの発生を抑制し、吐出安定性を向上するという課題の間にはトレードオフの関係がある。
【０００６】
本発明は、上述の課題の少なくとも一部を解決するためになされたものであり、発色性に優れた記録物を得ることができ、かつガスの発生が抑制され、吐出安定性も向上するインクジェットインクセットを提供することを目的とする。
【課題を解決するための手段】
【０００７】
本発明者らは、上記課題を解決するために鋭意検討した。その結果、所定の染料を有するインクを備えるインクジェットインクセットであれば上記課題を解決できることを見出して、本発明を完成させた。
【０００８】
すなわち、本発明は、以下のとおりである。
〔１〕
少なくとも第１インク、第２インク、第３インク、及び第４インクを備え、
前記第１インクは、水と、第１染料と、を含み、かつ、水で１０００倍に希釈した希釈液の分光透過率から算出される色相角Ｈが９０°〜１２０°であり、
前記第２インクは、水と、第２染料と、を含み、かつ、水で１０００倍に希釈した希釈液の分光透過率から算出される色相角Ｈが０°〜３０°であり、
前記第３インクは、水と、第３染料と、を含み、かつ、水で１０００倍に希釈した希釈液の分光透過率から算出される色相角Ｈが２２０°〜２５０°であり、
前記第４インクは、水と、前記第４インクの総質量１００質量％に対して５質量％以上の第４染料と、を含み、かつ、水で１０００倍に希釈した希釈液の分光透過率から算出される色相角Ｈが５０°〜７０°であり、かつ、ｐＨが７．０〜８．０であり、
前記第４染料は、Ｃ．Ｉ．Ａｃｉｄ  Ｏｒａｎｇｅ３３及びＣ．Ｉ．Ａｃｉｄ  Ｏｒａｎｇｅ９４の少なくとも１種を含む、インクジェットインクセット。
〔２〕
前記第４インクの溶存窒素量が６ｐｐｍ以下である、前項〔１〕に記載のインクジェットインクセット。
〔３〕
前記第４インクにおいて、前記第４染料の含有量に対する前記水の含有量の比が、質量基準で、１１．００〜１３．００である、前項〔１〕又は〔２〕に記載のインクジェットインクセット。
〔４〕
前記第４染料は、Ｃ．Ｉ．Ａｃｉｄ  Ｏｒａｎｇｅ３３及びＣ．Ｉ．Ａｃｉｄ  Ｏｒａｎｇｅ９４を含み、
前記Ｃ．Ｉ．Ａｃｉｄ  Ｏｒａｎｇｅ９４の含有量に対する前記Ｃ．Ｉ．Ａｃｉｄ  Ｏｒａｎｇｅ３３の含有量の比が、質量基準で、１〜１０である、前項〔１〕〜〔３〕のいずれか一項に記載のインクジェットインクセット。
〔５〕
第５インクをさらに備え、
前記第５インクは、水と、第５染料と、を含み、かつ、水で１０００倍に希釈した希釈液の分光透過率から算出される色相角Ｈが２７５°〜２９５°であり、
前記第５染料は、Ｃ．Ｉ．Ａｃｉｄ  Ｂｌｕｅ１４０及びＣ．Ｉ．Ａｃｉｄ  Ｖｉｏｌｅｔ４８を含む、前項〔１〕〜〔４〕のいずれか一項に記載のインクジェットインクセット。
〔６〕
前記Ｃ．Ｉ．Ａｃｉｄ  Ｂｌｕｅ１４０の含有量は、前記第５インクの総質量１００質量％に対して、６．０質量％以上であり、
前記Ｃ．Ｉ．Ａｃｉｄ  Ｖｉｏｌｅｔ４８の含有量は、前記第５インクの総質量１００質量％に対して、０．５〜１．６質量％である、前項〔５〕に記載のインクジェットインクセット。
〔７〕
ポリオレフィンを含む容器に充填される、前項〔１〕〜〔６〕のいずれか一項に記載のインクジェットインクセット。
〔８〕
前記容器は、可撓性部材からなるインク収容室を有する、前項〔７〕に記載のインクジェットインクセット。
【発明を実施するための形態】
【０００９】
以下、本発明を実施するための形態（以下、「本実施形態」という。）について詳細に説明するが、本発明はこれに限定されるものではなく、その要旨を逸脱しない範囲で様々な変形が可能である。
【００１０】
〔インクジェットインクセット〕
本実施形態に係るインクジェットインクセットは、少なくとも第１インク、第２インク、第３インク、及び第４インクを備え、前記第１インクは、水と、第１染料と、を含み、かつ、水で１０００倍に希釈した希釈液の分光透過率から算出される色相角Ｈが９０°〜１２０°であり、前記第２インクは、水と、第２染料と、を含み、かつ、水で１０００倍に希釈した希釈液の分光透過率から算出される色相角Ｈが０°〜３０°であり、前記第３インクは、水と、第３染料と、を含み、かつ、水で１０００倍に希釈した希釈液の分光透過率から算出される色相角Ｈが２２０°〜２５０°であり、前記第４インクは、水と、前記第４インクの総質量１００質量％に対して５質量％以上の第４染料と、を含み、かつ、水で１０００倍に希釈した希釈液の分光透過率から算出される色相角Ｈが５０°〜７０°であり、かつ、ｐＨが７．０〜８．０であり、前記第４染料は、Ｃ．Ｉ．Ａｃｉｄ  Ｏｒａｎｇｅ３３及びＣ．Ｉ．Ａｃｉｄ  Ｏｒａｎｇｅ９４の少なくとも１種を含む。
【００１１】
発色性と色再現性に優れた画像を得る手段として、第１インク、第２インク、第３インクに加えて特色インクとしてオレンジインク（第４インク）を用いる手段が有効である。本実施形態に係るインクジェットインクセットは、Ｃ．Ｉ．Ａｃｉｄ  Ｏｒａｎｇｅ３３及びＣ．Ｉ．Ａｃｉｄ  Ｏｒａｎｇｅ９４の少なくとも１種を含む第４インクを備えることにより、発色に優れる記録物を得ることができるものとなる。さらに、第４インクのｐＨを制御することにより、Ｃ．Ｉ．Ａｃｉｄ  Ｏｒａｎｇｅ３３及びＣ．Ｉ．Ａｃｉｄ  Ｏｒａｎｇｅ９４を第４インク中に安定に存在させることができ、これによりガスの発生を抑制して、吐出安定性を向上させることができる。
【００１２】
〔第１インク〕
第１インクは、水と、第１染料と、を含み、かつ、水で１０００倍に希釈した希釈液の分光透過率から算出される色相角Ｈが９０°〜１２０°である。色相角が前記範囲である第１インクはインクセットにおける基本色の一つとして優れており、特に本実施形態に係る第２インク及び第３インクと組み合わせることで色再現性に優れたインクセットとすることができる。なお、色再現性に優れるとは、ガマット体積が向上することをいう。また、色相角Ｈは、実施例に記載の方法により測定することができる。
【００１３】
第１染料としては、特に限定されないが、例えば、Ｃ．Ｉ．Ｒｅａｃｔｉｖｅ  Ｙｅｌｌｏｗ２、３、７、１５、１７、１８、２２、２３、２４、２５、２７、３７、３９、４２、５７、６９、７６、８１、８４、８５、８６、８７、９２、９５、１０２、１０５、１１１、１２５、１３５、１３６、１３７、１４２、１４３、１４５、１５１、１６０、１６１、１６５、１６７、１６８、１７５、１７６等の反応性染料；Ｃ．Ｉ．Ａｃｉｄ  Ｙｅｌｌｏｗ１、３、１１、１７、１８、１９、２３、２５、３６、３８、４０、４０：１、４２、４４、４９、５９、５９：１、６１、６５、６７、７２、７３、７９、９９、１０４、１５９、１６９、１７６、１８４、１９３、２００、２０４、２０７、２１５、２１９、２１９：１、２２０、２３０、２３２、２３５、２４１、２４２、２４６等の酸性染料；Ｃ．Ｉ．Ｄｉｓｐｅｒｓｅ  Ｙｅｌｌｏｗ３、４、５、７、９、１３、２３、２４、３０、３３、３４、４２、４４、４９、５０、５１、５４、５６、５８、６０、６３、６４、６６、６８、７１、７４、７６、７９、８２、８３、８５、８６、８８、９０、９１、９３、９８、９９、１００、１０４、１０８、１１４、１１６、１１８、１１９、１２２、１２４、１２６、１３５、１４０、１４１、１４９、１６０、１６２、１６３、１６４、１６５、１７９、１８０、１８２、１８３、１８４、１８６、１９２、１９８、１９９、２０２、２０４、２１０、２１１、２１５、２１６、２１８、２２４、２２７、２３１、２３２等の分散染料が挙げられる。
【００１４】
第１染料の含有量は、第１インクの総質量１００質量％に対して４〜１０質量％が好ましい。第１染料の含有量が上記範囲内であることにより、得られる記録物の発色性がより優れる傾向にある。
【００１５】
〔第２インク〕
第２インクは、水と、第２染料と、を含み、かつ、水で１０００倍に希釈した希釈液の分光透過率から算出される色相角Ｈが０°〜３０°である。色相角が前記範囲である第２インクはインクセットにおける基本色の一つとして優れており、特に本実施形態に係る第１インク及び第３インクと組み合わせることで色再現性に優れたインクセットとすることができる。なお、色相角Ｈは、実施例に記載の方法により測定することができる。
【００１６】
第２染料としては、特に限定されないが、例えば、Ｃ．Ｉ．Ｒｅａｃｔｉｖｅ  Ｒｅｄ２、３、３：１、５、８、１１、２１、２２、２３、２４、２８、２９、３１、３３、３５、４３、４５、４９、５５、５６、５８、６５、６６、７８、８３、８４、１０６、１１１、１１２、１１３、１１４、１１６、１２０、１２３、１２４、１２８、１３０、１３６、１４１、１４７、１５８、１５９、１７１、１７４、１８０、１８３、１８４、１８７、１９０、１９３、１９４、１９５、１９８、２１８、２２０、２２２、２２３、２２６、２２８、２３５等の反応性染料；Ｃ．Ｉ．Ａｃｉｄ  Ｒｅｄ１、６、８、９、１３、１８、２７、３５、３７、５２、５４、５７、７３、８２、８８、９７、９７：１、１０６、１１１、１１４、１１８、１１９、１２７、１３１、１３８、１４３、１４５、１５１、１８３、１９５、１９８、２１１、２１５、２１７、２２５、２２６、２４９、２５１、２５４、２５６、２５７、２６０、２６１、２６５、２６６、２７４、２７６、２７７、２８９、２９６、２９９、３１５、３１８、３３６、３３７、３５７、３５９、３６１、３６２、３６４、３６６、３９９、４０７、４１５等の酸性染料；Ｃ．Ｉ．Ｄｉｓｐｅｒｓｅ  Ｒｅｄ１、４、５、７、１１、１２、１３、１５、１７、２７、４３、４４、５０、５２、５３、５４、５５、５６、５８、５９、６０、６５、７２、７３、７４、７５、７６、７８、８１、８２、８６、８８、９０、９１、９２、９３、９６、１０３、１０５、１０６、１０７、１０８、１１０、１１１、１１３、１１７、１１８、１２１、１２２、１２６、１２７、１２８、１３１、１３２、１３４、１３５、１３７、１４３、１４５、１４６、１５１、１５２、１５３、１５４、１５７、１５９、１６４、１６７、１６９、１７７、１７９、１８１、１８３、１８４、１８５、１８８、１８９、１９０、１９１、１９２、２００、２０１、２０２、２０３、２０５、２０６、２０７、２１０、２２１、２２４、２２５、２２７、２２９、２３９、２４０、２５７、２５８、２７７、２７８、２７９、２８１、２８８、２９８、３０２、３０３、３１０、３１１、３１２、３２０、３２４、３２８等の分散染料が挙げられる。
【００１７】
第２染料の含有量は、第２インクの総質量１００質量％に対して４〜１０質量％が好ましい。第２染料の含有量が上記範囲内であることにより、得られる記録物の発色性がより優れる傾向にある。
【００１８】
〔第３インク〕
第３インクは、水と、第３染料と、を含み、かつ、水で１０００倍に希釈した希釈液の分光透過率から算出される色相角Ｈが２２０°〜２５０°である。色相角が前記範囲である第３インクはインクセットにおける基本色の一つとして優れており、特に本実施形態に係る第１インク及び第２インクと組み合わせることで色再現性に優れたインクセットとすることができる。なお、色相角Ｈは、実施例に記載の方法により測定することができる。
【００１９】
第３染料としては、特に限定されないが、例えば、Ｃ．Ｉ．Ｄｉｒｅｃｔ  Ｂｌｕｅ８６、８７、１９９が挙げられる。
【００２０】
第３染料の含有量は、第３インクの総質量１００質量％に対して５〜１２質量％が好ましい。第３染料の含有量が上記範囲内であることにより、得られる記録物の発色性により優れる傾向にある。
【００２１】
〔第４インク〕
第４インクは、水と、第４インクの総質量１００質量％に対して５質量％以上の第４染料と、を含み、かつ、水で１０００倍に希釈した希釈液の分光透過率から算出される色相角Ｈが５０°〜７０°であり、かつ、ｐＨが７．０〜８．０である。
【００２２】
第４染料は、Ｃ．Ｉ．Ａｃｉｄ  Ｏｒａｎｇｅ３３及びＣ．Ｉ．Ａｃｉｄ  Ｏｒａｎｇｅ９４の少なくとも１種を含むものであれば特に限定されない。第４染料はそれら以外の染料を含んでもよく、そのような染料としては、例えば、Ｃ．Ｉ．Ｒｅａｃｔｉｖｅ  Ｏｒａｎｇｅ１、４、５、７、１１、１２、１３、１５、１６、２０、３０、３５、５６、６４、６７、６９、７０、７２、７４、８２、８４、８６、８７、９１、９２、９３、９５、１０７等の反応性染料；Ｃ．Ｉ．Ａｃｉｄ  Ｏｒａｎｇｅ３、７、８、１０、１９、２２、２４、５１、５１Ｓ、５６、６７、７４、８０、８６、８７、８８、８９、９５、１０７、１０８、１１６、１２２、１２７、１４０、１４２、１４４、１４９、１５２、１５６、１６２、１６６、１６８等の酸性染料；Ｃ．Ｉ．Ｄｉｓｐｅｒｓｅ  Ｏｒａｎｇｅ１、３、５、７、１１、１３、１７、２０、２１、２５、２９、３０、３１、３２、３３、３７、３８、４２、４３、４４、４５、４６、４７、４８、４９、５０、５３、５４、５５、５６、５７、５８、５９、６１、６６、７１、７３、７６、７８、８０、８９、９０、９１、９３、９６、９７、１１９、１２７、１３０、１３９、１４２等の分散染料が挙げられる。
【００２３】
このなかでも、第４染料は、Ｃ．Ｉ．Ａｃｉｄ  Ｏｒａｎｇｅ３３及びＣ．Ｉ．Ａｃｉｄ  Ｏｒａｎｇｅ９４の両方を含むことが好ましい。この場合、Ｃ．Ｉ．Ａｃｉｄ  Ｏｒａｎｇｅ９４の含有量に対するＣ．Ｉ．Ａｃｉｄ  Ｏｒａｎｇｅ３３の含有量の比は、質量基準で、１〜８が好まししい。Ｃ．Ｉ．Ａｃｉｄ  Ｏｒａｎｇｅ９４の含有量に対するＣ．Ｉ．Ａｃｉｄ  Ｏｒａｎｇｅ３３の含有量の比が上記範囲内であることにより、記録物の発色性がより優れる傾向にある。
【００２４】
第４染料の含有量は、第４インクの総質量１００質量％に対して５質量％以上であることが好ましい。第４染料の含有量が５質量％以上であることにより、得られる画像の発色性がより向上する。また、第４染料の含有量の上限は、１０質量％以下が好ましく、第４染料の含有量が１０質量％以下であることにより、ガスの発生がより抑制され、ガスが発生したとしてもインクに溶解できるようにすることで吐出安定性により優れるに優れる傾向にある。
【００２５】
第４インクを水で１０００倍に希釈した希釈液の分光透過率から算出される色相角Ｈは、５０°〜７０°であることが好ましい。色相角Ｈが上記範囲内であることにより、得られる記録物の発色性がより優れるとともに、インクセットとしたときに色再現性に優れる傾向にある。なお、色相角Ｈは、実施例に記載の方法により測定することができる。
【００２６】
第４インクのｐＨは７．０〜８．０であり、７．２〜７．５が好ましい。第４インクのｐＨが上記範囲内であることにより、ガスが発生しにくくなる。このようなｐＨの範囲では第４インク中で第４染料が安定に存在でき、分解しにくくなっているため、ガスが発生しにくいと考えられる。なお、ガスの発生抑制理由はこれに限定されない。ｐＨは、染料の濃度を調整したり、後述する保湿剤の種類や添加量等を調整したりすることにより制御することができる。なお、ｐＨは実施例に記載の方法により測定することができる。
【００２７】
第４インクの溶存窒素量は、６ｐｐｍ以下が好ましい。溶存窒素量の下限は特に制限されず、低いほど好ましく、０ｐｐｍがより好ましい。第４インクの溶存窒素量が上記範囲内であることにより、ガス（気泡）に起因する吐出不良を抑制できる傾向にある。その理由は不明であるが、ガスが発生しやすい第４染料を含むインクにおいて、発生したガスの少なくとも一部がインクに溶解することで吐出不良を抑制できるのではないかと考えられる。なお、溶存窒素量は実施例に記載の方法により測定することができる。また、インク中の溶存窒素量は脱気処理によって調整することができる。
【００２８】
第４インクにおいて、第４染料の含有量に対する水の含有量の比は、質量基準で、１１．００〜１３．００が好ましい。第４染料の含有量に対する水の含有量の比が上記範囲内であることにより、ガスの発生をより抑制できる傾向にある。
【００２９】
〔第５インク〕
本実施形態に係るインクジェットインクセットは、第５インクをさらに備えることが好ましい。第５インクとしては、特に限定されないが、例えば、水と、第５染料と、を含み、かつ、水で１０００倍に希釈した希釈液の分光透過率から算出される色相角Ｈが２７５°〜２９５°であるものが挙げられる。第５インクを備えることにより、発色性、色再現性により優れる傾向にある。
【００３０】
第５染料としては、特に限定されないが、例えば、Ｃ．Ｉ．Ｒｅａｃｔｉｖｅ  Ｂｌｕｅ２、３、４、７、１３、１４、１５、１９、２１、２５、２７、２８、２９、３８、３９、４１、４９、５０、５２、６３、６９、７１、７２、７７、７９、８９、１０４、１０９、１１２、１１３、１１４、１１６、１１９、１２０、１２２、１３７、１４０、１４３、１４７、１６０、１６１、１６２、１６３、１６８、１７１、１７６、１８２、１８４、１９１、１９４、１９５、１９８、２０３、２０４、２０７、２０９、２１１、２１４、２２０、２２１、２２２、２３１、２３５、２３６、Ｃ．Ｉ．Ｒｅａｃｔｉｖｅ  Ｖｉｏｌｅｔ１、２、４、５、６、２２、２３、３３、３６、３８等の反応性染料；Ｃ．Ｉ．Ａｃｉｄ  Ｂｌｕｅ  １、７、９、１５、２３、２５、４０、６１：１、６２、７２、７４、８０、８３、９０、９２、１０３、１０４、１１２、１１３、１１４、１２０、１２７、１２７：１、１２８、１２９、１３８、１４０、１４２、１５６、１５８、１７１、１８２、１８５、１９３、１９９、２０１、２０３、２０４、２０５、２０７、２０９、２２０、２２１、２２４、２２５、２２９、２３０、２３９、２５８、２６０、２６４、２７７：１、２７８、２７９、２８０、２８４、２９０、２９６、２９８、３００、３１７、３２４、３３３、３３５、３３８、３４２、３５０、Ｃ．Ｉ．Ａｃｉｄ  Ｖｉｏｌｅｔ１７、１９、２１、４２、４３、４７、４８、４９、５４、６６、７８、９０、９７、１０２、１０９、１２６等の酸性染料；Ｃ．Ｉ．Ｄｉｓｐｅｒｓｅ  Ｂｌｕｅ３、７、９、１４、１６、１９、２０、２６、２７、３５、４３、４４、５４、５５、５６、５８、６０、６２、６４、７１、７２、７３、７５、７９、８１、８２、８３、８７、９１、９３、９４、９５、９６、１０２、１０６、１０８、１１２、１１３、１１５、１１８、１２０、１２２、１２５、１２８、１３０、１３９、１４１、１４２、１４３、１４６、１４８、１４９、１５３、１５４、１５８、１６５、１６７、１７１、１７３、１７４、１７６、１８１、１８３、１８５、１８６、１８７、１８９、１９７、１９８、２００、２０１、２０５、２０７、２１１、２１４、２２４、２２５、２５７、２５９、２６７、２６８、２７０、２８４、２８５、２８７、２８８、２９１、２９３、２９５、２９７、３０１、３１５、３３０、３３３、Ｃ．Ｉ．Ｄｉｓｐｅｒｓｅ  Ｖｉｏｌｅｔ  １、４、８、２３、２６、２７、２８、３１、３３、３５、３６、３８、４０、４３、４６、４８、５０、５１、５２、５６、５７、５９、６１、６３、６９、７７等の分散染料が挙げられる。
【００３１】
このなかでもＣ．Ｉ．Ａｃｉｄ  Ｂｌｕｅ１４０及びＣ．Ｉ．Ａｃｉｄ  Ｖｉｏｌｅｔ４８を含むものが好ましい。この場合、Ｃ．Ｉ．Ａｃｉｄ  Ｂｌｕｅ１４０の含有量は、第５インクの総質量１００質量％に対して、５．０質量％以上が好ましく、６．０〜７．０質量％がより好ましい。Ｃ．Ｉ．Ａｃｉｄ  Ｂｌｕｅ１４０の含有量が上記範囲内であることにより、発色性、色再現性により優れる傾向にある。また、Ｃ．Ｉ．Ａｃｉｄ  Ｖｉｏｌｅｔ４８の含有量は、第５インクの総質量１００質量％に対して、０．５〜１．６質量％が好ましい。Ｃ．Ｉ．Ａｃｉｄ  Ｖｉｏｌｅｔ４８の含有量が上記範囲内であることにより、発色性、色再現性により優れる傾向にある。
【００３２】
第５染料の含有量は、第５インクの総質量１００質量％に対して５．０〜８．０質量％が好ましい。第５染料の含有量が上記範囲内であることにより、記録物の発色性がより優れる傾向にある。
【００３３】
第５インクを水で１０００倍に希釈した希釈液の分光透過率から算出される色相角Ｈは、２７５°〜２９５°が好ましい。色相角Ｈが上記範囲内であることにより、得られる記録物の発色性がより優れるとともに、インクセットとしたときに色再現性に優れる傾向にある。なお、色相角Ｈは、実施例に記載の方法により測定することができる。
【００３４】
（水）
第１インク、第２インク、第３インク、第４インク、及び第５インク（以下、まとめて「本実施形態で用い得るインク」ともいう。）は、それぞれ水を含む。水としては、特に限定されないが、例えば、イオン交換水、限外濾過水、逆浸透水、蒸留水等の純水、又は超純水を用いることが好ましい。特に、これらの水を、紫外線照射又は過酸化水素添加等により滅菌処理した水は、長期間に亘ってカビやバクテリアの発生がより防止される傾向にある。
【００３５】
水の含有量は、本実施形態で用い得るインクそれぞれを１００質量％として、５０〜８０質量％が好ましく、５５〜７０質量％がより好ましい。
【００３６】
（尿素）
本実施形態で用い得るインクは、尿素をさらに含んでもよい。尿素を含むことにより、吐出安定性により優れる傾向にある。尿素の含有量は、本実施形態で用い得るインクそれぞれを１００質量％として、１〜１０質量％が好ましく、２〜８質量％がより好ましい。尿素の含有量が１質量％以上であることにより、染着濃度が高い場合の被記録媒体の摩擦堅牢性がより向上する傾向にある。また、尿素の含有量が１０％以下であることにより、滲みをより抑制することができる傾向にある。
【００３７】
（保湿剤）
本実施形態で用い得るインクは、保湿剤をさらに含んでもよい。保湿剤を含むことにより、記録装置の記録ヘッドのノズルからの吐出安定性がより向上する傾向にある。保湿剤としては、特に限定されず、通常のインクに保湿剤として使用されている化合物を用いることができ、例えば、グリセリン、エチレングリコール、ジエチレングリコール、トリエチレングリコール、テトラエチレングリコール、ポリエチレングリコール、プロピレングリコール、ジプロピレングリコール、ポリプロピレングリコール、１，３−プロパンジオール、１，４−ブタンジオール、１，２−ヘキサンジオール、１，５−ペンタンジオール、１，６−ヘキサンジオール、１，２，６−ヘキサントリオール、又はペンタエリスリトール等のポリオール類、及びそのエーテル又はエステル等の誘導体；２−ピロリドン、Ｎ−メチル−２−ピロリドン、又はε−カプロラクタム等のラクタム類；チオ尿素、エチレン尿素、又は１，３−ジメチルイミダゾリジノン類等の尿素類；マルチトール、ソルビトール、グルコノラクトン、又はマルトース等の糖類が挙げられる。なお、保湿剤は、一種単独で用いても、二種以上を併用してもよい。
【００３８】
保湿剤の含有量は、本実施形態で用い得るインクそれぞれを１００質量％として、４〜４０質量％が好ましく、６〜１５質量％がより好ましい。保湿剤の含有量が上記範囲内であることにより、吐出安定性により優れる傾向にある。
【００３９】
（水溶性有機溶剤）
本実施形態で用い得るインクは、浸透剤としても機能し得る水溶性有機溶剤をさらに含んでもよい。水溶性有機溶剤を含むことにより、被記録媒体への濡れ性を高めて本実施形態で用い得るインクの浸透性がより向上する傾向にある。そのような水溶性有機溶剤としては、通常のインクに水溶性有機溶剤として使用されている化合物を用いることができ、例えば、エタノール又はプロパノール等の低級アルコール類；エチレングリコールモノメチルエーテル、エチレングリコールモノエチルエーテル等のセロソルブ類；ジエチレングリコールモノメチルエーテル又はジエチレングリコールモノエチルエーテル等のカルビトール類；エチレングリコールモノブチルエーテル、ジエチレングリコールモノブチルエーテル、又はトリエチレングリコールモノブチルエーテル等のグリコールエーテル類が挙られる。なお、水溶性有機溶剤は、一種単独で用いても、二種以上を併用してもよい。
【００４０】
水溶性有機溶剤の含有量は、本実施形態で用い得るインクそれぞれを１００質量％として、２〜１５質量％が好ましい。水溶性有機溶剤の含有量が上記範囲内であることにより、被記録媒体への濡れ性を高めて本実施形態で用い得るインクの浸透性がより優れる傾向にある。
【００４１】
（界面活性剤）
本実施形態で用い得るインクは、浸透剤としても機能し得る界面活性剤をさらに含んでもよい。浸透剤としても機能し得る界面活性剤を含むことにより、被記録媒体への濡れ性を高めて本実施形態で用い得るインクの浸透性がより向上する傾向にある。そのような界面活性剤としては、通常のインクに界面活性剤として使用されている化合物を用いることができ、例えば、脂肪酸塩類；アルキル硫酸エステル塩類等のアニオン性界面活性剤；ポリオキシエチレンアルキルフェニルエーテル等のノニオン性界面活性剤；サーフィノール６１、８２、１０４、４４０、４６５、４８５（エア・プロダクツ・アンド・ケミカルズ社製）、オルフィンＥ１０１０、オルフィンＰＤ００２Ｗ（日信化学工業社製）等のアセチレングリコール系界面活性剤；カチオン性界面活性剤；両イオン性界面活性剤が挙げられる。なお、界面活性剤は、一種単独で用いても、二種以上を併用してもよい。
【００４２】
界面活性剤の含有量は、本実施形態で用い得るインクそれぞれを１００質量％として、０．２〜５質量％が好ましい。界面活性剤の含有量が上記範囲内であることにより、被記録媒体への濡れ性を高めて本実施形態で用い得るインクの浸透性がより優れる傾向にある。
【００４３】
（その他の添加剤）
本実施形態で用い得るインクは、さらに必要に応じて、防黴剤、防腐剤、酸化防止剤、紫外線吸収剤、キレート剤、酸素吸収剤、ｐＨ調整剤（例えば、トリエタノールアミン、アジピン酸、水酸化カリウム）、又は溶解助剤、その他、通常のインクにおいて用いることができる各種添加剤を含んでもよい。なお、各種添加剤は、一種単独で用いても、二種以上を併用してもよい。
【００４４】
（表面張力）
本実施形態で用い得るインクの表面張力は、２５〜４０ｍＮ／ｍが好ましく、２８〜３５ｍＮ／ｍがより好ましい。本実施形態で用い得るインクの表面張力が上記範囲内であることにより、印字品質と、低温領域での吐出安定性等の信頼性と、のバランスにより優れる傾向にある。
【００４５】
表面張力は、染料の濃度を調整したり、保湿剤の種類や添加量等を調整したりすることにより制御することができる。
【００４６】
（粘度）
本実施形態で用い得るインクの２０℃における粘度は、８．０ｍＰａ・ｓ以下が好ましく、１．５〜６．０ｍＰａ・ｓがより好ましい。本実施形態で用い得るインクの２０℃における粘土が上記範囲内であることにより、印字品質と、低温領域での吐出安定性等の信頼性と、のバランスにより優れる傾向にある。
【００４７】
粘度は、染料の濃度を調整したり、保湿剤の種類や添加量等を調整したりすることにより制御することができる。
【００４８】
〔容器〕
本実施形態に係るインクジェットインクセットは、ポリオレフィンを含む容器（以下、「インク収容容器」ともいう。）に充填されるものであることが好ましい。
【００４９】
容器は、可撓性部材からなるインク収容室を有することが好ましい。ここで、可撓性部材からなるインク収容室を有するインク収容容器は、密閉性やコストの観点から空気導入口を有さないことが多い。そのため、インク収容室中のインクの残量に応じて可撓性部材が変形することで記録装置に安定してインクを供給することができるようになっている。なお、可撓性部材としては、特に限定されないが、例えば、ポリエチレン、ポリプロピレン等のポリオレフィンを用いることが可能であり、フィルム状の部材として用いるのが好ましい。
【００５０】
可撓性部材からなるインク収容室を有するインク収容容器に充填されたインク成分に起因してガスが発生する場合、可撓性部材の変形によるインク収容容器の膨張が起こり、発生するガス量が多い場合にはインク収容容器が破裂するおそれがある。本実施形態に用い得るインクであれば、ガスの発生を抑制することで、又は、発生するガスをインク中に溶解させることでインク収容容器の破裂を抑制できる傾向にある。
【実施例】
【００５１】
以下、本発明を実施例及び比較例を用いてより具体的に説明する。本発明は、以下の実施例によって何ら限定されるものではない。
【００５２】
［インクの材料］
下記の実施例及び比較例において使用したインクの主な材料は、以下の通りである。
〔色材〕
Ｃ．Ｉ．Ａｃｉｄ  Ｏｒａｎｇｅ３３
Ｃ．Ｉ．Ａｃｉｄ  Ｏｒａｎｇｅ９４
Ｃ．Ｉ．Ａｃｉｄ  Ｏｒａｎｇｅ５６
Ｃ．Ｉ．Ａｃｉｄ  Ｙｅｌｌｏｗ７９
Ｃ．Ｉ．Ａｃｉｄ  Ｒｅｄ１３８
Ｃ．Ｉ．Ａｃｉｄ  Ｖｉｏｌｅｔ９７
Ｃ．Ｉ．Ｄｉｒｅｃｔ  Ｂｌｕｅ８７
Ｃ．Ｉ．Ａｃｉｄ  Ｂｌｕｅ１４０
Ｃ．Ｉ．Ａｃｉｄ  Ｖｉｏｌｅｔ４８
〔保湿剤〕
２−ピロリドン
グリセリン
トリエチレングリコール
〔水溶性有機溶剤〕
ジエチレングリコールモノブチルエーテル
トリエチレングリコールモノブチルエーテル
〔界面活性剤〕
オルフィンＥ１０１０（アセチレングリコール系界面活性剤、日信化学工業社製）
オルフィンＰＤ００２Ｗ（アセチレングリコール系界面活性剤、日信化学工業社製）
〔ｐＨ調整剤〕
トリエタノールアミン
アジピン酸
水酸化カリウム
〔尿素〕
尿素
【００５３】
［インクの調製］
各材料を下記の表１及び２に示す組成（質量％）で混合し、十分に撹拌し、オレンジインク（以下、「Ｏｒインク」ともいう。）、イエローインク（以下、「Ｙインク」ともいう。）、マゼンタインク（以下、「Ｍインク」ともいう。）、シアンインク（以下、「Ｃインク」ともいう。）、及びブルーインク（以下、「Ｂｕインク」ともいう。）をそれぞれ得た。
【００５４】
〔色相角の測定方法〕
各インクの色相角は、各インクを水で１０００倍に希釈した希釈液の分光透過率を、Ｄ６５光源２゜視野、透過光路長１０ｍｍの測定条件下において、測色計Ｓｐｅｃｔｒｏｌｉｎｏ（グレタグマクベス（GretagMacbeth）社製商品名）を用いて測定し、得られた分光透過率に基づいて、Ｌ＊ａ＊ｂ＊表色系で表した場合の値として求めた。
【００５５】
〔ｐＨの測定方法〕
ガラス電極ｐＨメーターで測定した。
【００５６】
〔溶存窒素量の測定方法〕
各インクの溶存窒素量は、ガスクロマトグラフ６８９０Ｎ（Ａｇｉｌｅｎｔ社製商品名）を用い、質量換算で測定した。
【００５７】
【表１】
2015007178.tif 000002
【００５８】
【表２】
2015007178.tif 000003
【００５９】
［実施例１〜１２、比較例１〜４］
〔発色性〕
ＰＸ−Ｇ９３０（セイコーエプソン社（Ｓｅｉｋｏ  Ｅｐｓｏｎ  Ｃｏｒｐｏｒａｔｉｏｎ）製）により、上記で調製した、オレンジインク、イエローインク、マゼンタインク、シアンインク、及びブルーインクのベタパターンをそれぞれ作成した。被記録媒体としては、布帛（絹）を用いた。以上のようにして得られた、オレンジインク、イエローインク、マゼンタインク、シアンインク、及びブルーインクのベタパターンより、各色のインクの発色性を評価した。評価基準を以下に示す。
（イエローインク：第１インクの評価基準）
Ａ：  色相角が９０°〜１２０°を満たし、かつ、ＯＤ値（Ｄｙ値）が１．４０以上。
Ｂ：  色相角が９０°〜１２０°を満たし、かつ、ＯＤ値（Ｄｙ値）が１．２０以上１．４０未満。
Ｃ：  色相角が９０°〜１２０°の範囲でない、又は、ＯＤ値（Ｄｙ値）が１．２未満。
（マゼンタインク：第２インクの評価基準）
Ａ：  色相角が０°〜３０°を満たし、かつ、ＯＤ値（Ｄｍ値）が１．４０以上。
Ｂ：  色相角が０°〜３０°を満たし、かつ、ＯＤ値（Ｄｍ値）が１．２０以上１．４０未満。
Ｃ：  色相角が０°〜３０°の範囲でない、又は、ＯＤ値（Ｄｍ値）が１．２０未満。
（シアンインク：第３インクの評価基準）
Ａ：  色相角が２２０°〜２５０°を満たし、かつ、ＯＤ値Ｄｃ値）が１．４０以上。
Ｂ：  色相角が２２０°〜２５０°を満たし、かつ、ＯＤ値（Ｄｃ値）が１．２０以上１．４０未満。
Ｃ：  色相角が２２０°〜２５０°の範囲でない、又は、ＯＤ値（Ｄｃ値）が１．２０未満。
（オレンジインク：第４インクの評価基準）
Ａ：  色相角が５０°〜７０°を満たし、かつ、ＯＤ値（Ｄｍ値およびＤｙ値の両方）が１．４０以上。
Ｂ：  色相角が５０°〜７０°を満たし、かつ、ＯＤ値（Ｄｍ値およびＤｙ値の両方）が１．２０以上１．４０未満。
Ｃ：  色相角が５０°〜７０°の範囲でない、又は、ＯＤ値（Ｄｍ値およびＤｙ値の両方）がいずれも１．２０未満。
（ブルーインク：第５インクの評価基準）
Ａ：  色相角が２７５°〜２９５°を満たし、かつ、ＯＤ値（Ｄｃ値およびＤｍ値の両方）が１．４０以上。
Ｂ：  色相角が２７５°〜２９５°を満たし、かつ、ＯＤ値（Ｄｃ値およびＤｍ値の両方）が１．２０以上１．４０未満。
Ｃ：  色相角が２７５°〜２９５°の範囲でない、又は、ＯＤ値（Ｄｃ値およびＤｍ値の両方）が１．２０未満。
【００６０】
また、ＰＸ−Ｇ９３０（セイコーエプソン社（Ｓｅｉｋｏ  Ｅｐｓｏｎ  Ｃｏｒｐｏｒａｔｉｏｎ）製）により、上記で調製した、オレンジインク、イエローインク、マゼンタインク、シアンインク、及びブルーインクを用いてベタパターンを作成した。得られたベタパターンよりインクジェットインクセットとしての発色性を評価した。評価基準を以下に示す。
（インクジェットインクセットとしての評価基準）
Ａ：  インクセットを構成する各インクの発色性の評価結果が全てＡである。
Ｂ：  インクセットを構成する各インクの発色性の評価結果がＡ又はＢである（Ｃがない）。
Ｃ：  インクセットを構成する各インクの発色性の評価結果にＣが１種以上含まれる。
【００６１】
〔ガスの発生〕
上記で調製した、オレンジインク、イエローインク、マゼンタインク、シアンインク、及びブルーインクを、可撓性部材からなるインク収容室を有するポリオレフィンを含むアルミニウム製のインク収容容器にそれぞれ充填した。容器を７０℃、７日間放置したものと７０℃、９日間放置したものをそれぞれ準備した。放置後の容器の中身をそれぞれ確認し、ガスの発生について評価した。評価基準を以下に示す。
（評価基準）
Ａ：  ７０℃、９日間放置の条件でもガスの発生がなかった。
Ｂ：  ７０℃、９日間放置の条件ではガスの発生が認められるが、７０℃、７日間放置の条件ではガスの発生がなかった。
Ｃ：  ７０℃、７日間放置の条件でもガスの発生が認められた。
【００６２】
インクジェットインクセットとしてのガスの発生を評価した。評価基準を以下に示す。
（インクジェットインクセットとしての評価基準）
Ａ：  インクセットを構成する各インクのガスの発生の評価結果が全てＡである。
Ｂ：  インクセットを構成する各インクのガスの発生の評価結果がＡ又はＢである（Ｃがない）。
Ｃ：  インクセットを構成する各インクのガスの発生の評価結果にＣが１種以上含まれる。
【００６３】
〔吐出安定性〕
ＰＸ−Ｇ９３０（セイコーエプソン社（Ｓｅｉｋｏ  Ｅｐｓｏｎ  Ｃｏｒｐｏｒａｔｉｏｎ）製）により、上記で調製した、オレンジインク、イエローインク、マゼンタインク、シアンインク、及びブルーインクを用いて、Ａ４のベタパターンを記録した。なお、被記録媒体としては、普通紙を用いた。２０００枚記録後、ノズル抜け又はインク滴の飛行曲がりの発生の有無を目視にて確認し、各インクの吐出安定性を評価した。評価基準を以下に示す。
Ａ：  ２０００枚記録後、ノズル抜け又はインク滴の飛行曲がりが２ノズル以下
Ｂ：  ２０００枚記録後、ノズル抜け又はインク滴の飛行曲がりが３〜５ノズル
Ｃ：  ２０００枚記録後、ノズル抜け又はインク滴の飛行曲がりが６ノズル以上
【００６４】
インクジェットインクセットとしての吐出安定性を評価した。評価基準を以下に示す。
（インクジェットインクセットとしての評価基準）
Ａ：  インクセットを構成する各インクの吐出安定性の評価結果が全てＡである。
Ｂ：  インクセットを構成する各インクの吐出安定性の評価結果がＡ又はＢである（Ｃがない）。
Ｃ：  インクセットを構成する各インクの吐出安定性の評価結果にＣが１種以上含まれる。
【００６５】
【表３】
2015007178.tif 000004
【００６６】
実施例１、３、９と他の実施例の比較により、第４染料の含有量に対する水の含有量の比が１１．００〜１３．００であることによりガスの発生がより抑えられやすいことが分かった。また、実施例１、２、９と他の実施例の比較により、第４染料の含有窒素量が６ｐｐｍ以下であることにより吐出安定性により優れることが分かった。なお、第１インク〜第４インクに加えて第５インクを備える実施例１０〜実施例１２のインクセットは、第１インク〜第４インクを備える実施例１〜９のインクセットと比べて色再現性に優れることは言うまでもない。
【００６７】
また、比較例１と実施例との比較により、Ｃ．Ｉ．Ａｃｉｄ  Ｏｒａｎｇｅ３３及びＣ．Ｉ．Ａｃｉｄ  Ｏｒａｎｇｅ９４の少なくとも１種を含まないと、発色性に劣ることが分かった。さらに、比較例２及び３と実施例との比較により、ｐＨが８より大きいことによりガスの発生が多く、吐出安定性に劣ることが分かった。また、比較例４と実施例との比較により、第４染料の含有量が５質量％未満であることにより発色性に劣ることが分かった。